(57)【要約】【課題】  空冷式と水冷式の熱交換機を有する空調装置を効率良く運転させつつ何れかの熱交換機が故障した場合でも空調装置として機能させることが可能なハイブリッド空調制御装置を提供する。【解決手段】  空調機器１１と接続された流路内４を、この経路内わ循環する熱交換媒体に対して気体を用いて熱交換する空冷式熱交換機５が設けらたれ第１経路４Ｂまたは流路内を循環する熱交換媒体に対して冷却水を用いて熱交換する水冷式熱交換機２０が設けられた第２経路４Ａに切換る切換手段２２〜２５と、水冷式熱交換機２０に冷却水を流通させる冷却水経路３０とを有するハイブリッド空調装置１を制御する装置であって、冷却水の温度を検出する温度検出手段３２，３３からの温度情報が少なくとも上限温度または上限温度範囲を超える場合に、第１経路４Ｂへ切換え、検知した温度情報が下限温度または下限温度範囲を超える場合には熱交換媒体が流れる経路を第２経路４Ａへ切換るように切換手段を制御する。【選択図】      図１
2006046883.tif 000002
【特許請求の範囲】
【請求項１】
空調機器との間で熱交換媒体を循環させる流路内を循環する熱交換媒体に対して気体を用いて熱交換する空冷式熱交換機が設けらたれ第１の経路と、前記流路内を循環する熱交換媒体に対して冷却水を用いて熱交換する水冷式熱交換機が設けられた第２の経路と、前記熱交換媒体が流れる経路を第１の経路または第２の経路に切換る切換手段と、前記水冷式熱交換機に冷却水を流通させる冷却水経路とを有するハイブリッド空調装置の制御装置であって、
前記冷却水の温度を検知する温度検知手段からの温度情報が少なくとも上限温度または上限温度範囲を超える場合には前記熱交換媒体が流れる経路を第１の経路へ切換え、前記温度情報が下限温度または下限温度範囲を超える場合には前記熱交換媒体が流れる経路を第２の経路へ切換るように前記切換手段を制御する冷却モードを少なくとも備えたハイブリッド空調装置の制御装置。
【請求項２】
空調機器との間で熱交換媒体を循環させる流路内を循環する熱交換媒体に対して気体を用いて熱交換する空冷式熱交換機が設けらたれ第１の経路と、前記流路内を循環する熱交換媒体に対して冷却水を用いて熱交換する水冷式熱交換機が設けられた第２の経路と、前記熱交換媒体が流れる経路を第１の経路または第２の経路に切換る切換手段と、前記水冷式熱交換機に冷却水を流通させる冷却水経路とを有するハイブリッド空調装置の制御装置であって、
前記冷却水の温度を検知する温度検知手段からの温度情報が少なくとも下限温度または下限温度範囲を超える場合には前記熱交換媒体が流れる経路を第１の経路へ切換え、前記温度情報が上限温度または上限温度範囲を超える場合には前記熱交換媒体が流れる経路を第２の経路へ切換るように前記切換手段を制御する加熱モードを少なくとも備えたハイブリッド空調装置の制御装置。
【請求項３】
請求項１または２記載のハイブリッド空調装置の制御装置において、
前記冷却水経路の冷却水の圧力を検知する水圧検知手段からの検知情報が所定圧に満たない場合に、前記熱交換媒体が流れる経路を第１の経路へ切換えるように前記切換手段を制御するハイブリッド空調装置の制御装置。
【請求項４】
請求項１または２記載のハイブリッド空調装置の制御装置において、
前記冷却水経路の冷却水の流量を検知する流量検知手段からの検知情報が所定流量に満たない場合、前記熱交換媒体が流れる経路を第１の経路へ切換えるように前記切換手段を制御するハイブリッド空調装置の制御装置。
【請求項５】
請求項１または２記載のハイブリッド空調装置の制御装置において、
前記水冷式熱交換機の表面温度を検知する温度検知手段からの検知情報が所定温度よりも高い場合、前記熱交換媒体が流れる経路を第１の経路へ切換えるように前記切換手段を制御するハイブリッド空調装置の制御装置。
【請求項６】
請求項１乃至５の何れかに記載のハイブリッド空調装置の制御装置において、
前記切換手段を制御して前記熱交換媒体が流れる経路を第１の経路へ切換えた後、前記冷却水経路を開閉する開閉手段を間接的に開閉制御するハイブリッド空調装置の制御装置。
【発明の詳細な説明】
【技術分野】
【０００１】  本発明は、熱交換媒体を空気で熱交換する空冷式熱交換機と水熱源で熱交換する水冷式熱交換機を有するハイブリッドタイプの空調装置の制御に関する。
【背景技術】
【０００２】  空冷式の熱交換機となるヒートポンプを有する空調装置では、一般に直接膨張方式（以下、直膨方式）を用いて冷却及び加熱を行っている。以下、冷却サイクルを用いて冷却システムについて説明すると、直膨方式は室内に設置された蒸発器に熱交換媒体を送り、コイルの中で膨張気化させてコイルを冷却し、通過する空気と熱交換をし、その空気より吸熱を行っている。本空調装置は、室外に設置された凝縮器で空気と直接熱交換を行う構造であるため、構造が簡単である反面、放熱する空気温度（外気温度）によってその性能が大きく変化する特性となっている。【０００３】  一方、空冷式に比べて熱交換率が良いことで、水冷式の熱交換機としてのヒートポンプが種々提案されている。ここで空冷式と水冷式のヒートポンプの差を冷却サイクルで説明する。この水冷式のヒートポンプは、熱交換媒体を水熱源とする地下水、クーリングタワー内の水等の冷却水に放熱するので、空冷式に比べて熱交換性能が安定する特性がある。しかしながら、冷却水への放熱方式を行おうとしても、この冷却水として水道水を利用するとコストが高く、地下水を利用すると、汲み上げ規制のある地域では十分に利用できるものとは限らない。また、冷却水として水または不凍液を循環させる経路を地中に埋設して熱交換させる場合、ヒートポンプの原理的な問題から冷却水の温度がある一定温度を越えると、冷却水と熱交換媒体との間で熱交換を行えなくなる。【０００４】  ここで、冷却水を熱源とするヒートポンプの原理について説明する。ヒートポンプは、図９、図１０に示すように、エンタルピー（ｈ）と圧力（ｐ）に対して用いる熱交換媒体の飽和線上に変化を示した図で説明される。ヒートポンプは、加熱時と冷却時で熱交換媒体の動きが逆になるが、以下に示すように、加熱時及び冷却時においても、水冷式の方の熱交換効率が向上する。図９を用いて加熱時のサイクルを説明する。ヒートポンプにおいては、蒸発器が熱源との熱交換機分となり、ここが空冷冷却機と水冷冷却機で異なる部分となる。水の熱伝達率は、空気のそれと比べて数百倍と大変大きく、また、熱容量も大きくなることから、効率的に吸熱反応が行われ、ヒートポンプの動力費（電気消費量）が空気の場合と比べて小さく、効率が向上しており、加熱能力がよくなる。図１０を用いて冷却時のサイクルを説明すると、熱交換媒体の循環サイクルは加熱時と逆向きとなり、凝縮器での放熱が冷却機の仕事となる。この効率も加熱時と同様に熱伝達率が、圧倒的に空気と比べて高いことから、水による放熱が少ない動力費で行われ、効率が向上して冷却能力もよくなる。
このような特性を鑑み、近年、空冷式と水冷式の熱交換機を備えたハイブリッド空調装置が、例えば特許文献１、２で提案されている。【０００５】
【特許文献１】特開２００４−１１６８００
【特許文献２】特開２００４−１１６８０６
【発明の開示】
【発明が解決しようとする課題】
【０００６】  特許文献１，２には、空冷式と水冷式の熱交換機を有する空調装置が提案されているが、冷却、加熱および除湿の運転時において、空冷式と水冷式の熱交換機の最適なタイミングで切換る事は記載されていない。これら空冷式と水冷式の熱交換機の切換えは、所謂冷凍サイクルを備えた各種装置、とりわけ空調装置を効率的に運転するのに非常に重要な課題となる。また、水冷式の熱交換機を用いた冷却、加熱、除湿の各運転時において、水熱源からの冷却水の供給が立たれてしまうと、水冷式の熱交換機による熱交換が行われず、装置の停止や故障の原因となる。
本発明は、空冷式と水冷式の熱交換機を有する空調装置を効率良く運転させつつ、何れかの熱交換機が故障した場合でも、空調装置として機能させることができるハイブリッド空調制御装置を提供することを、その目的とする。
【課題を解決するための手段】
【０００７】  本発明は、空調機器との間で熱交換媒体を循環させる流路内を循環する熱交換媒体に対して気体を用いて熱交換する空冷式熱交換機が設けらたれ第１の経路と、流路内を循環する熱交換媒体に対して冷却水を用いて熱交換する水冷式熱交換機が設けられた第２の経路と、熱交換媒体が流れる経路を第１の経路または第２の経路に切換る切換手段と、水冷式熱交換機に冷却水を流通させる冷却水経路とを有するハイブリッド空調装置を制御する装置であって、冷却水の温度を検知する温度検知手段からの温度情報が少なくとも上限温度または上限温度範囲を超える場合に、熱交換媒体が流れる経路を第１の経路へ切換え、検知した温度情報が下限温度または下限温度範囲を超える場合には熱交換媒体が流れる経路を第２の経路へ切換るように切換手段を制御する冷却モードを少なくとも備えている。
このような構成においては、冷却水の温度が少なくとも上限温度または上限温度範囲を超えると、熱交換媒体が流れる経路が第１の経路へ切換えられ、熱交換媒体が空冷式熱交換機へ案内され、冷却水の温度が下限温度または下限温度範囲を超えると熱交換媒体が流れる経路が第２の経路へ切換えされ、熱交換媒体が水冷式熱交換機へと案内される。【０００８】  本発明は、空調機器との間で熱交換媒体を循環させる流路内を循環する熱交換媒体に対して気体を用いて熱交換する空冷式熱交換機が設けらたれ第１の経路と、流路内を循環する熱交換媒体に対して冷却水を用いて熱交換する水冷式熱交換機が設けられた第２の経路と、熱交換媒体が流れる経路を第１の経路または第２の経路に切換る切換手段と、水冷式熱交換機に冷却水を流通させる冷却水経路とを有するハイブリッド空調装置を制御する装置であって、冷却水の温度を検知する温度検知手段からの温度情報が少なくとも下限温度または下限温度範囲を超える場合には熱交換媒体が流れる経路を第１の経路へ切換え、温度情報が上限温度または上限温度範囲を超える場合には熱交換媒体が流れる経路を第２の経路へ切換るように切換手段を制御する加熱モードを少なくとも備えている。
このような構成においては、冷却水の温度が少なくとも下限温度または下限温度範囲を超えると熱交換媒体が流れる経路が第１の経路へ切換えられて熱交換媒体が空冷式熱交換機へ案内され、冷却水の温度が上限温度または上限温度範囲を超える場合には熱交換媒体が流れる経路が第２の経路へ切換えられ熱交換媒体が水冷式熱交換機へ案内される。【０００９】  本発明にかかるハイブリッド空調装置の制御装置では、冷却モードあるいは加熱モードの何れかを備えて入れはよく、空調装置を、冷却、冷凍、除湿あるいは加熱専用の空調装置として機能させることができるとともに、冷却、加熱の各モードを備えた場合には冷却と加熱を行える空調装置として機能させることができるようになる。除湿は冷凍サイクル的に言うと、冷却の一機能として捉えることができるので、冷却モードを有していれば達成することができる。【００１０】  本発明にかかるハイブリッド空調装置の制御装置では、冷却水経路の冷却水の圧力を検知する水圧検知手段からの検知情報を取り込み、その検知情報が所定圧に満たない場合には熱交換媒体が流れる経路を第１の経路へ切換えるように切換手段を制御することを特徴としている。水圧検知手段は、水冷式熱交換機に対する冷却水の流入側あるいは吐出側の何れかに設ければよい。流入側に設けてその検知信号を切換手段の切換制御のパラメーターとした場合、水冷式熱交換機に対する冷却水の搬送系に異常がある場合に、空冷式熱交換機に熱交換媒体が案内されることになる。吐出側に設けてその検知信号を切換手段の切換制御のパラメーターとする場合、水冷式熱交換機内あるいは吐出側の搬送系の異常に以上ある場合に、空冷式熱交換機に熱交換媒体が案内されることになり、空調装置の動作を停止させずに済む。【００１１】  水冷式熱交換機に対する冷却水の異常検知時の対策としては、冷却水経路の冷却水の流量を流量検知手段で検知し、その検知情報が所定流量に満たない場合に、熱交換媒体が流れる経路を第１の経路へ切換えるように切換手段を制御してもよい。この場合でも、流入側に流量検知手段を設けてその検知信号を切換手段の切換制御のパラメーターとした場合、水冷式熱交換機に対する冷却水の搬送系に異常がある場合に空冷式熱交換機に熱交換媒体が案内されることになる。吐出側に設けてその検知信号を切換手段の切換制御のパラメーターとした場合、水冷式熱交換機内でのスケール付着や吐出側の搬送系に異常がある場合に、空冷式熱交換機に熱交換媒体が案内されることになり、空調装置の動作を停止させずに済む。【００１２】  水冷式熱交換機の異常検知のパラメーターとしては、冷却水に関する各情報ではなく、水冷式熱交換機の表面温度を検知する温度検知手段からの検知情報をパラメーターとしてもよい。この場合、検知された温度情報が所定温度よりも高い場合、熱交換媒体が流れる経路を第１の経路へ切換えるように切換手段を制御する。水冷式熱交換機の温度上昇は、水冷式熱交換機内を冷却水が流れない異常な状態もしくは冷却水の温度上昇により交換機全体、あるいは部分的な温度上昇と見なすことができるので、このような場合には安全性の観点から熱交換媒体の経路を第１の経路へと切換ることで、空冷式熱交換機で熱交換を行���るため、空調装置の動作を停止させずに済む。【００１３】  本形態にかかるハイブリッド空調装置の制御装置では、切換手段を制御して熱交換媒体が流れる経路を第１の経路へ切換えた後、冷却水経路を開閉する開閉手段を間接的に開閉制御することを特徴としている。第１の経路へ切換ると熱交換媒体は空冷式熱交換機へ案内されるが、水冷式熱交換機や冷却水経路には冷却水が滞停している。この冷却水の停滞を改善しなければ、冷却水の温度低減率は低く、水熱交換率の良い水冷式熱交換機による熱交換を行えない。このように、空冷式熱交換機による熱交換時においても、冷却水経路を開閉する開閉手段を間接的に開閉制御することで、冷却水を循環させることができるので冷却水の迅速な温度低減を図ることができる。この開閉手段の開閉は間欠的な制御できなく、時間や回数を予め設定しておき、これら値をパラメーターとして開閉制御するようにしても良い。
【発明の効果】
【００１４】  本発明によれば、冷却モード時において、冷却水の温度が少なくとも上限温度または上限温度範囲を超えると、熱交換媒体が流れる経路が第１の経路へ切換えられ、熱交換媒体が空冷式熱交換機へ案内され、冷却水の温度が下限温度または下限温度範囲を超えると熱交換媒体が流れる経路が第２の経路へ切換えされ、熱交換媒体が水冷式熱交換機へと案内されるので、温度条件に応じて適宜、空冷式熱交換機と水冷式熱交換機の何れかに熱交換媒体が案内されて熱交換されるので、空冷式と水冷式の熱交換機を有する空調装置を効率良く運転させつつ、何れかの熱交換機が故障した場合でも空調装置として機能させることができる。
本発明によれば、加熱モード時において、冷却水の温度が少なくとも下限温度または下限温度範囲を超えると熱交換媒体が流れる経路が第１の経路へ切換えられて熱交換媒体が空冷式熱交換機へ案内され、冷却水の温度が上限温度または上限温度範囲を超える場合には熱交換媒体が流れる経路が第２の経路へ切換えられ熱交換媒体が水冷式熱交換機へ案内されるので、空冷式と水冷式の熱交換機を有する空調装置を効率良く運転させつつ、何れかの熱交換機が故障した場合でも空調装置として機能させることができる。
【発明を実施するための最良の形態】
【００１５】  以下、本発明の実施の形態について、図面を用いて説明する。図１は、ハイブリッド空調装置を示す概略図である。図１において、符号１は室内に装着される空調機器としてのファンコイルユニット１１と接続する室外機１の内部構造を示す。この室外機１は、そのケーシング１００の内部に、電磁的の四方弁２、膨張弁３、四方弁２と膨張弁３とを結ぶ流路４上に配置された空冷式熱交換機５、四方弁２と圧縮機６とを結ぶ低圧の流路７上にアキュムレータ８と低圧開閉弁９、四方弁２と膨張弁３の流路４を閉鎖して室外機１とファンコイルユニット１１を切り離し可能とする停止弁１０Ａ，１０Ｂ、水冷式熱交換機２０、水冷式熱交換機２０に冷却水を循環させる冷却水経路３０がそれぞれ設けられている。空冷熱交換５と対向する部位には、駆動モータ１９によって回転駆動される冷却用のファン１８が設けられている。圧縮機６と四方弁２とを結ぶ高圧の流路１２には、周知の消音器１３と圧力開閉弁１４が設けられている。これら各構成要素は、流路４内を循環する熱交換媒体の熱交換を行い、冷却と加熱を行う空冷式熱交換機と冷凍サイクルの構成要素である。熱交換媒体は、最適な性能を得られる量が流路４内に封入されている。熱交換媒体としては、科学冷媒として、ＣＦＣ系のＲ−１２、ＨＣＦＣ系のＲ−２２，Ｒ−１２３、ＨＦＣ系のＲ−１３４ａ，Ｒ−４０７（ＨＦＣ−３２、１２５ｄ、１３４ａ混合），Ｒ４１０Ａ（ＨＦＣ−３２、１２５混合）や、ＣＯ２やプロパン等の自然冷媒が挙げられる。【００１６】  水冷式熱交換機２０は、空冷式熱交換機５を迂回するように流路４に接続された流路４Ａに配設されている。この流路４Ａは、流路４内を流れる熱交換媒体を水冷式熱交換機２０へ案内する第２の経路を構成する。また、水冷式熱交換機２０に対して迂回流路となる流路４Ｂには空冷式熱交換機５が配設されている。流路４Ｂは第１の経路を構成する。水冷式熱交換機２０の上流側と下流側に位置する流路４Ａには電磁弁２２，２３が、水冷式熱交換機５の上流側と下流側に位置する経路４Ｂには電磁弁２４，２５がそれぞれ配設されている。これら電磁弁は、オフ状態では各経路を閉じて水冷式熱交換機２０と空冷式熱交換機５への熱交換媒体の流入を停止し、オン状態となると各経路を開き各熱交換機に対して熱交換媒体を流入するように構成されている。【００１７】  水冷式熱交換機２０は、冷却水を、その内部に導入する流入口２０Ａ、内部の通過して熱交換された冷却水を排出する吐出口２０Ｂとを備えている。流入口２０Ａには冷却水経路３０を構成する給水流路３４の一端３４Ａが接続され、吐出口２０Ｂには冷却水経路３０を構成する排水流路３７の一端３７Ａがそれぞれ接続されている。給水流路３４には、その他端３４Ｂ側に接続される図示しないポンプから冷却水が供給される。この冷却水は水冷式熱交換機２０内に導入されて排水流路３７から排出される。すなわち、冷却水経路３０は、水冷式熱交換機２０に冷却水を流通する経路であり、水冷式熱交換機２０は、流通する冷却水によって、ファンコイルユニット１１との間で循環する熱交換媒体を冷却あるいは加熱するように構成されている。本形態において、冷却水を送るポンプの制御は別な系統で適宜オン／オフ制御される。【００１８】  給水流路３４には、水冷式熱交換機２０への冷却水の給水温度を検知する温度検知手段としての給水温度センサ３３と、冷却水経路３０内の冷却水の圧力のうち給水圧を検知する水圧検知手段としての水圧検知センサ３２と、給水流路３４を開閉する開閉手段としての電磁弁３１とが設けられている。給水温度センサ３３は、給水口３３の近傍に配置され、水圧検知センサ３２は、温度センサ３３と電磁弁３１との間に配置されている。排水流路３７には、水冷式熱交換機２０で熱交換された冷却水の吐出温度を検知する温度検知手段としての吐出温度センサ３５と、冷却水経路３０の冷却水の流量のうち、水冷式熱交換機２０からの排出される冷却水の流量を検知する流量検知手段としての流量検知センサ３６とが設けられている。吐出温度センサ３５は吐出口２０Ｂの近傍に配置され、流量検知センサ３６は吐出温度センサよりも下流側に配置されている。【００１９】  アキュムレータ８の一次側に位置する流路７と水冷式熱交換機２０とは、第３の経路２６で接続されている。この第３の経路２６は、電磁弁２２，２３がオフ、かつ電磁弁２４，２５がオンの時に、水冷式熱交換機２０内にある熱交換媒体をアキュムレータ８に導入するための媒体回収通路を構成する。アキュムレータ８の一次側に位置する流路７と空冷式熱交換機５とは、第４の経路２７で接続されている。この第４の経路２７は、電磁弁２２，２３がオン、かつ電磁弁２４，２５がオフの時に、空冷式熱交換機５内にある熱交換媒体をアキュムレータ８に導入するための媒体回収通路を構成する。これら第３及び第４の経路２６，２７には、同経路をそれぞれ開閉可能とする開閉手段としての電磁式の開閉弁２８，２９が設けられている。すなわち、電磁弁２２，３３及び電磁弁２４，２５は、そのオン／オン状態に応じて経路４Ａと経路４Ｂとを切換る切換手段を構成している。【００２０】  水冷式熱交換機２０と開閉弁２８の間の経路２６と、空冷式熱交換機５と開閉弁２９の間の経路２７には、周知のアクセルバルブ２６１、２７１が設けられている。これらアクセスバルブ２６１，２７１は、密閉回路として構成されている流路４に対して熱交換媒体を注入する際や、注入した熱交換媒体を流路４から抜く際に用いる一方向圧力弁であって、その開閉部に対して外部から所定の圧を加えないと開放しないように構成されている。符号３８は水冷式熱交換機２０の表面温度を温度検知手段としての表面温度センサ３８を示す。【００２１】  駆動モータ１９、電磁弁２２，２３，２４，２５、開閉弁２８，２９及び電磁弁３１のオン／オフ制御は、図２に示す制御手段４０で制御されるようになっている。制御手段４０は、図示を省略したが、ＣＰＵ（中央処理装置）、Ｉ／Ｏ（入出力）ポート、ＲＯＭ（読み出し専用記憶装置）、ＲＡＭ（読み書き可能な記憶装置）およびタイマー等をそれぞれ備え、これらが信号バスによって接続された構成を有する周知のコンピュータで構成されている。制御手段４０の入力側には、水圧検知センサ３２，給水温度センサ３３、吐出温度センサ３５、流量検知センサ３６、表面温度検知センサ３８と、装置の操作部５０及び切換温度設定手段５５が接続されている���本形態において、各温度センサには周知のサーミスタを用いるが、これ以外の構成であっても無論構わない。操作部５０は、図３に示すように、冷却モードとなる冷房モードを選択する際に操作する冷房スイッチ５１と、加熱モードとなる暖房モードを選択する際に操作する暖房スイッチ５２と、除湿モードを選択する際に操作する除湿スイッチ５３と、電源をオン／オフする電源スイッチ５４とが設けられている。切換温度設定手段５５とは、制御手段４０に設定される後述の第１及び第２の所定上下温度と下限温度を変更するためのもので、この設定手段荷も受けた調整部を送付すると、上記各温度、すなわち、空冷式熱交換機５と水冷式熱交換機２０への経路を切換えるパラメーターとなる切換温度を任意に設定変更できるように構成されている。【００２２】  制御手段４０の出力側には、四方弁２、電磁弁２２〜２５、開閉弁２８，２９、電磁弁３１及び圧縮機６と駆動モータ１９が電気的に接続されている。制御手段４０のＲＯＭには、電磁弁２２，２３と開閉弁２９及び電磁弁２４，２５と開閉弁２８、駆動モータ１９をオン／オフするためのパラメーターとなる各種温度情報、所定圧、所定流量及び冷房モードと暖房モードが予め記憶されている。各種温度情報としては、給水温度センサ３３と吐出温度センサ３５の冷房モード時の第１の上限温度（「ＷＴ１＋ｍａｘ１、ＷＴ２＋ｍａｘ１、第１の下限温度（ＷＴ１−ｍａｘ１、ＷＴ２−ｍａｘ１）」、給水温度センサ３３と吐出温度センサ３５の暖房モード時の第２の上限温度（ＷＴ１＋ｍａｘ２、ＷＴ２＋ｍａｘ２）、第２の下限温度（ＷＴ１−ｍａｘ２、ＷＴ２−ｍａｘ２）と、所定表面温度が設定されている。第１の上限温度（ＷＴ１＋ｍａｘ１、ＷＴ２＋ｍａｘ１）はＷＴ１＋ｍａｘ１＜ＷＴ２＋ｍａｘ１、第１の下限温度（ＷＴ１−ｍａｘ１、ＷＴ２−ｍａｘ１）はＷＴ１−ｍａｘ１＜ＷＴ２−ｍａｘ１の関係にある。第２の上限温度（ＷＴ１＋ｍａｘ２、ＷＴ２＋ｍａｘ２）はＷＴ１＋ｍａｘ２＞ＷＴ２＋ｍａｘ２、第２の下限温度（ＷＴ１−ｍａｘ２、ＷＴ２−ｍａｘ２）はＷＴ１−ｍａｘ２＜ＷＴ２−ｍａｘ２の関係にある。
また、第１の上限温度（ＷＴ１＋ｍａｘ１、ＷＴ２＋ｍａｘ１）は第１の下限温度（ＷＴ１−ｍａｘ１、ＷＴ２−ｍａｘ１）よりも高温域の温度帯とされ、第２の上限温度（ＷＴ１＋ｍａｘ２、ＷＴ２＋ｍａｘ２）は第２の下限温度（ＷＴ１−ｍａｘ２、ＷＴ２−ｍａｘ２）よりも高温域側の温度帯とされている。【００２３】  制御手段４０は、図４に示す基本動作処理と、冷房スイッチ５１が操作されたときに始動する図５に示す冷房運転処理と、暖房スイッチ５２が操作されたときに始動する図６に示す暖房運転処理を実行するルーチンが設定されている。なお、本形態において、四方弁２は、通常オアとされていて、この状態の時には熱交換媒体を図１において実線で示す方向に移動にさせるように経路４を繋ぎ、オン状態となると、熱交換媒体を図１において破線で示す方向に移動にさせるように経路４を繋ぐ用に切り替わる。四方弁２は、冷却モード及び除湿モードの時にはオフ状態とされ、暖房モードの時にはオンされる用に制御される。【００２４】  以下、制御装置４０による制御動作について説明する。図４において、基本動作処理は、ステップＳ１において、電源スイッチ５４が操作されて電源がオンとなると、ステップＳ２おいて運転モードが判別される。本形態では、ステップＳ２において運転モードが冷房の場合にはステップＳ３に進んで冷房運転処理が行われ、ステップＳ２において運転モードが冷房でない場合にはステップＳ４に進む。ステップＳ４において運転モードが暖房の場合にはステップＳ５に進んで暖房運転処理が行われ、ステップＳ４において運転モードが冷房でない場合にはステップＳ６に進む。ステップＳ６において運転モードが除湿の場合にはステップＳ７に進んで除湿運転処理が行われる。そして、各運転処理が実行されていても、電源スイッチ５４が操作されて電源オンとなると装置を停止させる。除湿運転は、冷房の一形態となるので、除湿運転処理は冷房運転処理と同一な処理内とし、除湿時の処理動作は省力するものとする。【００２５】  ステップＳ２において、冷房運転が選択されると、図５の冷房運転処理が開始される。この処理では、ステップＵ１において運転モードの変換がないかが判断される。ここでは、操作部５０の冷房モードが他の運転モードに変更されたか否かが判断され、冷房モードの場合には、ステップＵ２に進む。ステップＵ１において運転モードが冷房以外に変更されている場合には、この冷房運手処理を継続しないで、図４のステップＳ２にリターンして再度運転モードの確認が実行される。【００２６】  ステップＵ２では、電磁弁３１をオンして水冷式熱交換機２０に対して冷却水を流通させてステップＵ３に進む。この電磁弁３１の開弁動作によって冷却水経路３０及び水冷式熱交換機２０内の冷却水が流れる。ステップＵ３では、給水温度センサ３３と吐出温度センサ３３で検知した水温ＷＴ１、ＷＴ２と表面温度センサ３８で検知した表面温度Ｔ、水圧検知センサ３２及び流量検知センサ３６から水圧ＷＰ及び流量ＷＲの各情報の読込みが行なわれ、ステップＵ４に進む。ステップＵ４では水圧検知センサ３２からの水圧情報ＷＰと所定圧Ｐとが比較され、水圧情報ＷＰが所定圧Ｐに大きい場合にはポンプから熱交換に必要十分���冷却水が供給されているものとしてステップＵ５に進む。ステップＵ５では、流量検知センサ３８からの流量情報ＷＲと所定流量Ｒとが比較され、流量情報ＷＲが所定流量Ｒを越えている場合には、冷却水経路３０や水冷式熱交換機２０の破損やスケール付着による流量低減がなく、熱交換に必要な流量が水冷式熱交換機２０に供給されているものとしてステップＵ６に進む。ステップＵ６では、表面温度センサ３８からの表面温度情報Ｔと所定温度Ｔ１とが比較され、表面温度情報Ｔが所定温度Ｔ１よりも低い場合には、水冷式熱交換機２０内の詰まりや冷却水温度に異常がないものとしてステップＵ７に水冷式熱交換機２０を用いた冷却を行う水冷システムを動作させる。【００２７】  ステップＵ７の水冷システム動作について、図７のフローチャートを用いて説明する。水冷システム動作では、電磁弁２２，２３、開閉弁２９、圧縮機５がオン状態されるとともに、電磁弁２４，２５、開閉弁２８及び駆動モータ１９がオフ状態とされる。このため、冷却運転する場合には、熱交換媒体は、ファンコイルユニット１１から四方弁２を介して図１において実線示す矢印方向に移動する。この時、電磁弁２２，２３はオンされて第２の経路４Ａが開放されているので、熱交換媒体は水冷式熱交換機２０へ導入される。また、開閉弁２８はオフ状態、開閉弁２９はオン状態とされるので、第４の経路２７が開放されて使用しない空冷式熱交換機５内の存在する熱交換媒体が、アキュムレータ８の負圧によりアキュムレータ８に回収される。このため、流路４内を循環する熱交換媒体の量が、封入時の量とほぼ同一の量とされて水冷式熱交換機２０へ導入される。導入された熱交換媒体は、水冷式熱交換機２０内の冷却水と間で熱交換されて冷却され、膨張弁３を介してファンコイルユニット１１へと戻される。水冷式熱交換機５での熱交換を時には、駆動モータ１９が停止状態となるので、省エネと、ファン１８の回転に伴い発生する風切り音などの騒音を低減することができる。【００２８】  一方、ステップＵ４において水圧情報ＷＰが所定圧Ｐに満たない場合には、冷却水経路３０またはポンプに異常があり、水冷式熱交換機２０に対して十分な冷却水が供給されていないものと判断して、ステップＵ１０に進んで、電磁弁３１をオフして冷却水経路３０を閉じて水冷式熱交換機２０への冷却水の供給を絶ち、ステップＵ１１に進んで空冷式熱交換機５を用いた冷却を行う空冷システムを動作させる。
ステップＵ５において、流量情報ＷＲが所定流量Ｒに満たない場合には、水冷式熱交換機２０内のスケール付着で十分な流量の冷却水が水冷式熱交換機２０内で流れていないものとしてステップＵ１０に進む。そして、電磁弁３１をオフして冷却水経路３０を閉じて水冷式熱交換機２０への冷却水の供給を絶ち、ステップＵ１１に進んで空冷式熱交換機５を用いた冷却を行う空冷システムを動作させる。
ステップＵ６において表面温度情報Ｔが所定温度Ｔ１よりも高い場合には、水冷式熱交換機２０内の詰まりや冷却水温度に異常が発生していると判断してステップＵ１０に進む。そして、電磁弁３１をオフして冷却水経路３０を閉じて水冷式熱交換機２０への冷却水の供給を絶ち、ステップＵ１１に進んで空冷式熱交換機５を用いた冷却を行う空冷システムを動作させる。このように、ステップＵ４からステップＵ６は水冷式熱交換機２０や冷却水供給系に対する異常判定部を構成している。【００２９】  ステップＵ１１の空冷システム動作について、図８のフローチャートを用いて説明する。空冷システム動作では、圧縮機６、電磁弁２４，２５、開閉弁２８、駆動モータ１９がオン状態とされるとともに、電磁弁２２，２３と開閉弁２９がオフ状態となる。このため、流路４Ａは閉じ、第１の流路４Ｂが開放されて経路切換えが行われるとともに第３の経路２６が開放されて使用しない水冷式熱交換機２０内の存在する熱交換媒体がアキュムレータ８の負圧によりアキュムレータ８に回収されるとともにファン１８が回転する。このため、圧縮機６、四方弁２を通過した熱交換媒体は、全て空冷式熱交換機５へ案内され、ファン１８の回転に発生する気流により空気と間で熱交換されて冷却され、膨張弁３を介してファンコイルユニット１１へと戻される。【００３０】  ステップＵ７において水冷システムが動作されるとステップＵ８に進み、給水温度センサ３３からの給水温度情報ＷＴ１と第１の上限温度ＷＴ１＋ｍａｘ１とが比較される。そして、給水温度情報ＷＴ１が上限温度ＷＴ１＋ｍａｘ１を超えていない場合には、現在の冷却水の温度でも十分に熱交換が可能であるとしてステップＵ７に戻り、水冷システムによる動作が継続されて、水冷式熱交換機２０による熱交換が継続される。給水温度情報ＷＴ１が上限温度ＷＴ１＋ｍａｘ１を超える場合にはステップＵ９に進み、吐出温度センサ３５からの吐出温度情報ＷＴ２と第１の上限温度ＷＴ２＋ｍａｘ１とが比較される。そして、吐出温度情報ＷＴ２が上限温度ＷＴ２＋ｍａｘ１を超えていない場合には、現在の冷却水の温度でも十分に熱交換が可能であるとしてステップＵ７に戻り、水冷式熱交換機２０による熱交換が継続される。吐出温度情報ＷＴ２が上限温度ＷＴ２＋ｍａｘ１を超える場合には、現在の冷却水の温度では十分に熱交換が不可能であるとしてステップＵ１１に進む。【００３１】  このため、給水温度情報ＷＴ１が第１の上限温度ＷＴ１＋ｍａｘ１、吐出温度情報ＷＴ２が第１の上限温度ＷＴ２＋ｍａｘ１を超える場合、すなわち、冷却水の温度が第１の上限温度を越えると、熱交換媒体が流れる経路が第１の経路４Ｂへ切換えられる。また、本形態では、給水温度情報ＷＴ１と吐出温度情報ＷＴ２とがそれぞれ、上限温度ＷＴ１＋ｍａｘ１及び所上限温度ＷＴ２＋ｍａｘ１を越えないと、水冷式交換機２０による熱交換媒体の冷却から空冷式熱交換機５による冷却へと切換えないので、切換えのパラメーターとしては上限温度ではなく、第１の上限温度範囲（上限温度ＷＴ１＋ｍａｘ１〜上限温度ＷＴ２＋ｍａｘ１）で判断しても良い。【００３２】  ステップＵ１１において空冷システムが動作されるとステップＵ１２に進み、電磁弁３���が間欠的にオンされる。これは、空冷システム動作時においては、水冷式熱交換機２０による熱交換を行わないため、電磁弁２１をオフ状態とすることで消費電力を低減することができる。空冷システム動作中において電磁弁３１を間欠的にオンして冷却水流路３０を開状態とすると、同流路３０及び水冷式熱交換機２０内の冷却水が流通して放熱性が高まり、電磁弁３１を全閉する場合よりも、早期に冷却水の温度の低下させることかできる。【００３３】  ステップＵ１２では、給水温度センサ３３からの給水温度情報ＷＴ１と第１の下限温度ＷＴ１−ｍａｘ１とが比較される。そして、給水温度情報ＷＴ１が所定加温度ＷＴ１−ｍａｘ１を超えていない（下回らない）場合には、冷却水が十分に放熱されて冷却されていないものとしてステップＵ１１に戻り、空冷システムによる動作が継続されて空冷式熱交換機５による熱交換が継続される。給水温度情報ＷＴ１が下限温度ＷＴ１−ｍａｘ１を超える（下回る）場合にはステップＵ１４に進み、吐出温度センサ３５からの吐出温度情報ＷＴ２と第１の下限温度ＷＴ２−ｍａｘ１とが比較される。そして、吐出温度情報ＷＴ２が下限温度ＷＴ２−ｍａｘ１を超えていない場合には、未だ冷却水が十分に放熱されて冷却されていないものとしてステップＵ１１に戻り、空冷システムによる動作が継続されて空冷式熱交換機５による熱交換が継続される。給水温度情報ＷＴ１が下限温度ＷＴ２−ｍａｘ１を超える（下回る）場合には、冷却水が冷却されて十分に熱交換が可能であるとしてステップＵ７に戻り、水冷システム動作が実行される。このように、冷却水の温度が第１の下限温度を越えると、熱交換媒体が流れる経路が第２の経路４Ａへ切換えられる。【００３４】  図４のステップＳ４において、暖房運転が選択されると、図６の冷房運転処理が開始される。この処理では、ステップＶ１において運転モードの変換がないかが判断される。ここでは、操作部５０の暖房モードが他の運転モードに変更されたか否かが判断され、暖房モードの場合にはステップＶ２に進む。ステップＶ１において運転モードが暖房以外に変更されている場合には、この暖房運手処理を継続しないで、図４のステップＳ２にリターンして再度運転モードの確認が実行される。【００３５】  ステップＶ２では、四方弁２をオンして、経路４を冷房用経路から暖房経路へと切換え、ステップＶ３に進む。ステップＶ３では、電磁弁３１をオンして水冷式熱交換機２０に対して冷却水を流通させてステップＶ４に進む。この電磁弁３１の開弁動作によって冷却水経路３０及び水冷式熱交換機２０内の冷却水が流れる。ステップＶ４では、給水温度センサ３３と吐出温度センサ３３で検知した給水温度ＷＴ１、吐出温度ＷＴ２と表面温度センサ３８で検知した表面温度Ｔ、水圧検知センサ３２及び流量検知センサ３６から水圧ＷＰ及び流量ＷＲの各情報の読込みが行なわれステップＶ５に進む。ステップＶ５では水圧検知センサ３２からの水圧情報ＷＰと所定圧Ｐとが比較され、水圧情報ＷＰが所定圧Ｐに大きい場合にはポンプから熱交換に必要十分な冷却水が供給されているものとしてステップＶ６に進む。ステップＶ６では、流量検知センサ３８からの流量情報ＷＲと所定流量Ｒとが比較され、流���情報ＷＲが所定流量Ｒを越えている場合には、冷却水経路３０や水冷式熱交換機２０の破損やスケール付着による流量低減がなく、熱交換に必要な流量が水冷式熱交換機２０に供給されているものとしてステップＶ７に進む。ステップＶ７では、表面温度センサ３８からの表面温度情報Ｔと所定温度Ｔ１とが比較され、表面温度情報Ｔが所定温度Ｔ１よりも低い場合には、水冷式熱交換機２０内の詰まりや冷却水温度に異常がないものとしてステップＶ８に水冷式熱交換機２０を用いた冷却を行う水冷システムを動作させる。【００３６】  ステップＶ８の水冷システム動作は図７に示すように、電磁弁２２，２３、開閉弁２９、圧縮機５がオン状態され、電磁弁２４，２５、開閉弁２８及び駆動モータ１９がオフ状態とされる。但し、四方弁２はオンされているので、暖房運転する場合、熱交換媒体はファンコイルユニット１１から停止弁１０Ｂを介して経路７に流入し、図１において破線で示す矢印方向にして、四方弁２から停止弁１０Ａへを介してファンコイルユニット１１に戻される。この時、電磁弁２２，２３はオンされて第２の経路４Ａが開放されているので、熱交換媒体は水冷式熱交換機２０へ導入される。また、開閉弁２８はオフ状態、開閉弁２９はオン状態とされるので、第４の経路２７が開放されて使用しない空冷式熱交換機５内の存在する熱交換媒体が、アキュムレータ８の負圧によりアキュムレータ８に回収される。このため、流路４内を循環する熱交換媒体の量が、封入時の量とほぼ同一の量とされて水冷式熱交換機２０へ導入される。導入された熱交換媒体は、水冷式熱交換機２０内の冷却水と間で熱交換されて冷却され、四方弁２を介してファンコイルユニット１１へと戻される。水冷式熱交換機５での熱交換を時には、駆動モータ１９が停止状態となるので、省エネと、ファン１８の回転に伴い発生する風切り音などの騒音を低減することができる。【００３７】  一方、ステップＶ５において水圧情報ＷＰが所定圧Ｐに満たない場合には、冷却水経路３０またはポンプに異常があり、水冷式熱交換機２０に対して十分な冷却水が供給されていないものと判断して、ステップＶ１１に進んで電磁弁３１をオフして冷却水経路３０を閉じて水冷式熱交換機２０への冷却水の供給を絶ち、ステップＶ１２に進んで空冷式熱交換機５を用いた冷却を行う空冷システムを動作させる。
ステップＶ６において、流量情報ＷＲが所定流量Ｒに満たない場合には、水冷式熱交換機２０内のスケール付着で十分な流量の冷却水が水冷式熱交換機２０内で流れていないものとしてステップＶ１１に進む。そして、電磁弁３１をオフして冷却水経路３０を閉じて水冷式熱交換機２０への冷却水の供給を絶ち、ステップＶ１２に進んで空冷式熱交換機５を用いた冷却を行う空冷システムを動作させる。
ステップＶ７において表面温度情報Ｔが所定温度Ｔ１よりも高い場合には、水冷式熱交換機２０内の詰まりや冷却水温度に異常が発生していると判断してステップＶ１１に進む。そして、電磁弁３１をオフして冷却水経路３０を閉じて水冷式熱交換機２０への冷却水の供給を絶ち、ステップＶ１２に進んで空冷式熱交換機５を用いた冷却を行う空冷システムを動作させる。このように、ステップＶ５からステップＶ７は水冷式熱交換機２０や冷却水供給系に対する異常判定部を構成している。【００３８】  ステップＶ１２の空冷システム動作は、図８に示すように圧縮機６、電磁弁２４，２５、開閉弁２８、駆動モータ１９がオン状態とされるとともに、電磁弁２２，２３と開閉弁２９がオフ状態となる。無論暖房モードであるので、四方弁２はオン状態とされている。このため、流路４Ａは閉じ、第１の流路４Ｂが開放されて経路切換えが行われるとともに第３の経路２６が開放されて使用しない水冷式熱交換機２０内の存在する熱交換媒体がアキュムレータ８の負圧によりアキュムレータ８に回収されるとともにファン１８が回転する。このため、圧縮機６、四方弁２を通過した熱交換媒体は、全て空冷式熱交換機５へ案内され、ファン１８の回転に発生する気流により空気と間で熱交換されて冷却され、膨張弁３を介してファンコイルユニット１１へと戻される。【００３９】  ステップＶ８において水冷システムが動作されるとステップＶ９に進み、給水温度センサ３３からの給水温度情報ＷＴ１と第２の下限温度ＷＴ１−ｍａｘ２とが比較される。そして、給水温度情報ＷＴ１が下限温度ＷＴ１−ｍａｘ２を超えていない、すなわち下回っていない場合には、現在の冷却水の温度でも十分に熱交換が可能であるとしてステップＶ８に戻り、水冷システムによる動作が継続されて、水冷式熱交換機２０による熱交換が継続される。給水温度情報ＷＴ１が下限温度ＷＴ１−ｍａｘ２を超える（下回った）場合にはステップＶ１０に進み、吐出温度センサ３５からの吐出温度情報ＷＴ２と第２の上限温度ＷＴ２−ｍａｘ２とが比較される。そして、吐出温度情報ＷＴ２が下限温度ＷＴ２−ｍａｘ２を超えていない（下回っていない）場合には、現在の冷却水の温度でも十分に熱交換が可能であるとしてステップＶ８に戻り、水冷式熱交換機２０による熱交換が継続される。吐出温度情報ＷＴ２が下限温度ＷＴ２−ｍａｘ２を超える（下回る）場合には、現在の冷却水の温度では十分に熱交換が不可能であるとしてステップＶ１２に進む。【００４０】  このため、給水温度情報ＷＴ１が第２の下限温度ＷＴ１−ｍａｘ２を、吐出温度情報ＷＴ２が第１の下限温度ＷＴ２−ｍａｘ２をそれぞれ下回る場合、すなわち、冷却水の温度が第２の下限温度を越えると、熱交換媒体が流れる経路が第１の経路４Ｂへ切換えられる。また、本形態では、給水温度情報ＷＴ１と吐出温度情報ＷＴ２とがそれぞれ、下限温度ＷＴ１−ｍａｘ２及び下限温度ＷＴ２−ｍａｘ２を越えないと、水冷式交換機２０による熱交換媒体の加熱から空冷式熱交換機５による加熱へと切換えないので、切換えのパラメーターとしては上限温度ではなく、第２の下限温度範囲（下限温度ＷＴ２−ｍａｘ２〜下限温度ＷＴ１−ｍａｘ２）で判断しても良い。【００４１】  ステップＶ１２において空冷システムが動作されるとステップＶ１３に進み、電磁弁３１が間欠的にオンされてステップＶ１４に進む。このため、冷却水流路３０が間欠的に開状態とされるので、同流路３０及び水冷式熱交換機２０内の冷却水が流通して放熱性が高まり、電磁弁３１を全閉する場合よりも、早期に冷却水の温度の上昇させることかできる。【００４２】  ステップＶ１４では、給水温度センサ３３からの給水温度情報ＷＴ１と第２の上限温度ＷＴ１＋ｍａｘ２とが比較される。そして、給水温度情報ＷＴ１が所定温度ＷＴ１＋ｍａｘ２を超えていない（上回らない）場合には、冷却水が十分に吸熱されて加温されていないものとしてステップＵ１２に戻り、空冷システムによる動作が継続されて空冷式熱交換機５による熱交換が継続される。給水温度情報ＷＴ１が上限温度ＷＴ１＋ｍａｘ２を超える（上回る）場合にはステップＵ１５に進み、吐出温度センサ３５からの吐出温度情報ＷＴ２と第２の上限温度ＷＴ２＋ｍａｘ２とが比較される。そして、吐出温度情報ＷＴ２が上限温度ＷＴ２＋ｍａｘ２を超えるまでは、未だ冷却水が十分に吸熱されて加温されていないものとしてステップＵ１２に戻り、空冷システムによる動作が継続されて空冷式熱交換機５による熱交換が継続される。給水温度情報ＷＴ１が上限温度ＷＴ２＋ｍａｘ２を超える（上回る）場合には、冷却水が加温（加熱）されて十分に熱交換が可能であるとしてステップＵ７に戻り、水冷システム動作が実行される。このように、冷却水の温度が第２の下限温度を越えると、熱交換媒体が流れる経路が第２の経路４Ａへ切換えられる。【００４３】  本形態の制御手段４０においては、冷却モード時において、冷却水の温度が第１の上限温度（ＷＴ１＋ｍａｘ１、ＷＴ２＋ｍａｘ１）または第１の上限温度範囲（ＷＴ１＋ｍａｘ１〜ＷＴ２＋ｍａｘ１）を超えると、熱交換媒体が流れる経路が第１の経路４Ｂへ切換えられ、熱交換媒体が空冷式熱交換機５に案内され、冷却水の温度が第１の下限温度（ＷＴ１−ｍａｘ１、ＷＴ２−ｍａｘ１）または下限温度範囲ＷＴ１−ｍａｘ１〜ＷＴ２−ｍａｘ１）を超えると熱交換媒体が流れる経路が第２の経路４Ａへ切換えされて熱交換媒体が水冷式熱交換機２０へと案内される。このため、温度条件に応じて適宜、空冷式熱交換機５と水冷式熱交換機２０の何れかに熱交換媒体が案内されて熱交換され、空冷式と水冷式の熱交換機を有する空調装置１を効率良く運転させつつ、何れかの熱交換機が故障した場合でも空調装置として機能させることができる。【００４４】  本形態の制御手段４０においては、暖房モード時において、冷却水の温度が第２の下限温度（ＷＴ１−ｍａｘ２、ＷＴ２−ｍａｘ２）または下限温度範囲（ＷＴ１−ｍａｘ２〜ＷＴ２−ｍａｘ２）を超えると熱交換媒体が流れる経路が第１の経路４Ｂへ切換えられて熱交換媒体が空冷式熱交換機５へ案内され、冷却水の温度が第２の上限温度（ＷＴ１＋ｍａｘ２、ＷＴ２＋ｍａｘ２）または上限温度範囲（ＷＴ２＋ｍａｘ２〜ＷＴ２＋ｍａｘ２）を超える場合には熱交換媒体が流れる経路が第２の経路４Ａへ切換えられて熱交換媒体が水冷式熱交換機２０へ案内される。このため、空冷式と水冷式の熱交換機を有する空調装置１を効���良く運転させつつ、何れかの熱交換機が故障した場合でも空調装置として機能させることができる。【００４５】  本形態において、制御手段４０は個別な形態で説明したが、空調装置１が備えた形態であっても良く、この場合、上述の機能を備えた制御御装置４０を有するハイブリッド空調装置１０とすることができる。
冷却水の温度は、環境や使用状況により、初期の温度や放熱／吸熱に要する時間にバラツキがあるまで、制御手段４０に設定された各上限温度や下限温度を、切換温度設定手段５５を操作して適宜、設定温度を変更することで、水冷システムと空冷システムの動作時間を変更することができる。【００４６】  本形態において、水圧検知センサ３２は給水流路３４に設けて給水圧（導入圧ともいう）を検知しているが、排水流路３７に設けて水冷式熱交換機２０からの吐出圧を冷却水の圧力として検知しても良い。すなわち、冷却水の水圧検知は、主に水冷式熱交換機２０に対して、熱交換でき得るに足りる十分な量の冷却水が供給されているか、変言すると、図示しないポンプの故障や給水流路３４や排水流路３７の破損の有無を検知することにも成る。【００４７】  流量検知センサ３６は、排水流路３７の吐出流量を検知しているが、給水流路３４に設けて水冷式熱交換機２０への給水流量（導入流量とも言う）を検知するようにしても良い。すなわち、冷却水の流量は、主に水冷式熱交換機２０内や給水／排水流路内へのスケール付着による流量低減や、図示しないポンプの故障や給水流路３４及び排水流路３７の破損の有無を検知することに成る。流量検知手段としては流量検知センサ３６ではなく、デジタル方式の流量計３６であっても良い。【００４８】  電磁弁３１は、給水流路３４に設けて、同流路を開閉することで、水冷式熱交換機２０への冷却水の流通を制御しているが、排水流路３７側に設けても同様の機能を果たすことができる。水熱源としての冷却水としては、地下水、水道水、クーリングタワーで用いる水、貯水されている水や工業用水、不凍液等が挙げられる。本形態では電磁弁３１を開閉することで、水冷式熱交換機２０への冷却水の流通を制御しているが、電磁弁３１を設けずに冷却水を供給するポンプを制御手段４０でオン／オフ制御して水冷式熱交換機２０への冷却水の流通を制御するようにしても良い。
【図面の簡単な説明】
【００４９】
【図１】  本発明の一形態であるハイブリッド空調装置の概略構成図である。
【図２】  ハイブリッド空調装置の制御手段とこれにつながる構成要素を示すブロック図である。
【図３】  操作部の一形態を示す平面図である。
【図４】  制御手段による基本動作処理の一形態を示すフローチャートである。
【図５】  冷房運転処理の一形態を示すフローチャートである。
【図６】  暖房運転処理の一形態を示すフローチャートである。
【図７】  水冷システムの動作を示すフローチャートである。
【図８】  空冷システムの動作を示すフローチャートである。
【図９】  熱交換媒体の加熱時の特性を示すモリエ線図である。
【図１０】  熱交換媒体の冷却時の特性を示すモリエ線図である。
【符号の説明】
【００５０】１    ハイブリッド空調装置
４    流路内
４Ａ    第２の経路
４Ｂ    第１の経路
５    空冷式熱交換機
１１    空調機器
２０    水冷式熱交換機
２２〜２５    切換手段
３０    冷却水経路
３１    開閉手段
３２    水圧検知手段
３３，３４    温度検知手段
３６    流量検知手段
３８    温度検知手段
４０    制御装置
ＷＴ１−ｍａｘ１，ＷＴ２−ｍａｘ１    下限温度
ＷＴ１−ｍａｘ２、ＷＴ２−ｍａｘ２    下限温度
ＷＴ１＋ｍａｘ１、ＷＴ２＋ｍａｘ１    上限温度
ＷＴ１＋ｍａｘ２、ＷＴ２＋ｍａｘ２    上限温度
ＷＴ１−ｍａｘ１〜ＷＴ２−ｍａｘ１    下限温度範囲
ＷＴ１−ｍａｘ２〜ＷＴ２−ｍａｘ２    下限温度範囲
ＷＴ１＋ｍａｘ１〜ＷＴ２＋ｍａｘ１    上限温度範囲
ＷＴ１＋ｍａｘ２〜ＷＴ２＋ｍａｘ２    上限温度範囲
【図１】
2006046883.tif 000003
【図２】
2006046883.tif 000004
【図３】
2006046883.tif 000005
【図４】
2006046883.tif 000006
【図５】
2006046883.tif 000007
【図６】
2006046883.tif 000008
【図７】
2006046883.tif 000009
【図８】
2006046883.tif 000010
【図９】
2006046883.tif 000011
【図１０】
2006046883.tif 000012